(57)【要約】本発明の方法は、記憶手段上に格納されたコンテンツアイテムを選択するためのユーザインタフェースを供給する段階（１）と、コンテンツアイテムの識別を使用して、ネットワーク上のシステムからコンテンツアイテムに関連する更なるコンテンツアイテムを取出しする段階（３）と、リムーバブル媒体上に更なるコンテンツアイテムを格納する（５）段階を有する。本発明の電子装置は、ライタ（２３）と、制御ユニット（２５）と、ネットワークインタフェース（２７）を有する。制御ユニットは、記憶手段（３３）上に格納されたコンテンツアイテムをユーザが選択することを可能にするよう入力装置及び出力装置を使用可能であり、コンテンツアイテムの識別を使用して、ネットワーク上のシステムからコンテンツアイテムに関連する更なるコンテンツアイテムを取出しするようネットワークインタフェースを使用可能であり、リムーバブル媒体上に更なるコンテンツアイテムを格納するようライタを使用可能である。コンピュータプログラムプロダクトは、その実行時に、プログラマブル機器が、本発明の電子装置として機能することを可能にする。
2006512703.tif 000002
【特許請求の範囲】
【請求項１】
記憶手段上に格納されたコンテンツアイテムを選択するためのユーザインタフェースを供給する段階と、
リムーバブル媒体上にコンテンツを格納する段階と、
を有する、該リムーバブル媒体上に該コンテンツを格納する方法であって、
前記コンテンツアイテムの識別を使用して、ネットワーク上のシステムから前記コンテンツアイテムに関連する更なるコンテンツアイテムを取出しする段階を更に有し、
前記リムーバブル媒体上に前記コンテンツを格納する段階は、前記リムーバブル媒体上に前記更なるコンテンツアイテムを格納する段階を有することを特徴とする方法。
【請求項２】
前記リムーバブル媒体上に前記コンテンツを格納する段階は更に、前記コンテンツアイテムを前記リムーバブル媒体上に格納する段階を有することを特徴とする請求項１記載の方法。
【請求項３】
前記更なるコンテンツアイテムのための支払いをするためのユーザインタフェースを供給する段階を更に有することを特徴とする請求項１記載の方法。
【請求項４】
前記システムに対し認証をする段階を更に有することを特徴とする請求項１記載の方法。
【請求項５】
前記更なるコンテンツアイテムを取出しする段階は、削除されたシーン、追加されたシーン、バイオグラフィー、ドキュメンタリー、画像、広告、メニュ、広告を有するメニュ、及び予告編のうち少なくとも１つを取出しする段階を有することを特徴とする請求項１記載の方法。
【請求項６】
前記リムーバブル媒体上に前記コンテンツを格納する段階は更に、前記リムーバブル媒体上にメニュを格納する段階を有することを特徴とする請求項１記載の方法。
【請求項７】
前記更なるコンテンツアイテムを取出しする段階は、前記コンテンツアイテムのマスタコピーの一部であって、前記コンテンツアイテム内にはない該一部を取出しする段階を有することを特徴とする請求項１記載の方法。
【請求項８】
リムーバブル媒体上にコンテンツを格納可能なライタと、
記憶手段上に格納されたコンテンツアイテムをユーザが選択することを可能にするよう入力装置及び出力装置を使用可能である制御ユニットと、
を有する、該リムーバブル媒体上に該コンテンツを格納する電子装置であって、
ネットワークインタフェースを更に有し、
前記制御ユニットは、前記コンテンツアイテムの識別を使用して、ネットワーク上のシステムから前記コンテンツアイテムに関連する更なるコンテンツアイテムを取出しするよう前記ネットワークインタフェースを使用可能であり、
前記制御ユニットは、前記リムーバブル媒体上に前記更なるコンテンツアイテムを格納するよう前記ライタを使用可能であることを特徴とする電子装置。
【請求項９】
前記記憶手段を更に有することを特徴とする請求項８記載の電子装置。
【請求項１０】
実行されると、プログラマブル機器が、リムーバブル媒体上にコンテンツを格納する電子装置として機能することを可能にするコンピュータプログラムであって、
記憶手段上に格納されたコンテンツアイテムを選択するためのユーザインタフェースを供給する機能と、
前記コンテンツアイテムの識別を使用して、ネットワーク上のシステムから前記コンテンツアイテムに関連する更なるコンテンツアイテムを取出しする機能と、
前記リムーバブル媒体上に前記更なるコンテンツアイテムを格納する機能と、
を有するコンピュータプログラム。
【発明の詳細な説明】
【技術分野】
【０００１】
本発明は、記憶手段上に格納されたコンテンツアイテムを選択するためのユーザインタフェースを供給する段階とリムーバブル媒体上にコンテンツを格納する段階とを有する、リムーバブル媒体上にコンテンツを格納する方法に係る。
【０００２】
本発明は更に、リムーバブル媒体上にコンテンツを格納可能なライタと、記憶手段上に格納されたコンテンツアイテムをユーザが選択することを可能にするよう入力装置及び出力装置を使用可能である制御ユニットとを有する、リムーバブル媒体上にコンテンツを格納する電子装置に係る。
【０００３】
本発明は更に、その実行時に、プログラマブル機器が、リムーバブル媒体上にコンテンツを格納する電子装置として機能することを可能にするコンピュータプログラムプロダクトに係る。
【背景技術】
【０００４】
この方法の１つの実施例は、例えば、パナソニックのＤＭＲ−ＨＳ２といったハードディスク及びＤＶＤライタの両方を有する周知の消費者電子装置に適用される。このような消費者電子装置のユーザは、ＤＶＤライタを用いてＤＶＤ上に書き込みされるべきハードディスク上に記録された、例えば、テレビジョン番組といった番組を選択することが可能である。この番組は、一般的に、ハードディスクからＤＶＤに、ハードディスク上に記録されたのと同様にコピーされる。しかし、書き込みされたＤＶＤは、伝送エラーによる外乱を有したり、又は、予め記録されたＤＶＤの購入者にとって一般的となってきている追加コンテンツを有さなかったりし得る。
【０００５】
永久記憶のために選択された番組を一層充実させることがほとんどないという点は、この周知の方法の欠点である。
【発明の開示】
【発明が解決しようとする課題】
【０００６】
本発明は、永久記憶のためのコンテンツが一層充実される冒頭段落に記載したような種類の方法を提供することを第１の目的とする。
【０００７】
本発明は、永久記憶のためのコンテンツを一層充実させることが可能な冒頭段落に記載したような種類の電子装置を提供することを第２の目的とする。
【課題を解決するための手段】
【０００８】
本発明では、第１の目的は、コンテンツアイテムの識別を使用して、ネットワーク上のシステムからコンテンツアイテムに関連する更なるコンテンツアイテムを取出しする段階を更に有し、リムーバブル媒体上にコンテンツを格納する段階は、リムーバブル媒体上に更なるコンテンツアイテムを格納する段階を有することによって実現される。予め記録されたＤＶＤビデオディスクの人気は、これらのディスク上に供給されるボーナス材料に部分的に起因する。コンテンツアイテムに関連する更なるコンテンツアイテム、例えば、ボーナス材料を取出しし、その更なるコンテンツアイテムを、コンテンツアイテムと共に、リムーバブル媒体、例えば、ＤＶＤ＋ＲＷ上に格納することによって、リムーバブル媒体は、予め記録されたＤＶＤビデオディスクの価値とより類似した価値を有することになる。
【０００９】
本発明の方法の１つの実施例では、リムーバブル媒体上にコンテンツを格納する段階は更に、コンテンツアイテムをリムーバブル媒体上に格納する段階を有する。この段階は、コンテンツアイテムが最初に、ノンリムーバブル記憶手段、例えば、ハードディスク上に格納されている場合に、有利である。或いは、コンテンツアイテムは、既に、リムーバブル媒体上に格納されていてもよい。
【００１０】
更に、更なるコンテンツアイテムのための支払いをするためのユーザインタフェースを供給する段階を有し得る。更なるコンテンツアイテムに対しユーザが支払うことを可能にすることによって、コンテンツ作成者は、人気のあるコンテンツアイテムから更に利益を得ることが可能である。これは、広告収益における減少をもたらし得る新しい消費者電子装置のコマーシャルを省略する特徴を考慮すると、特に重要である。更なるコンテンツアイテムの収益は更には、広告収益だけでは十分ではない場合、コンテンツアイテムの続編の制作を助成するために使用可能である。
【００１１】
更に、システムに対し認証をする段階を有し得る。コンテンツアイテム当たりに支払いをする代わりに、又は、支払いをすることに追加して、ユーザは、ある一定期間当たりに加入料金を支払う必要があり得る。例えば、電子装置は、ユーザが加入者であることをシステムが判断可能とするためにシステムに対し認証する必要があり得る。
【００１２】
更なるコンテンツアイテムを取出しする段階は、削除されたシーン、追加されたシーン、バイオグラフィー、ドキュメンタリー、画像、広告、メニュ、広告を有するメニュ、及び予告編のうち少なくとも１つを取出しする段階を有し得る。これらのアイテムの多くは、予め記録されたＤＶＤビデオディスクで功を奏している。予め記録されたＤＶＤビデオディスク上では、メニュが、コンテンツアイテム及びボーナス材料へのアクセスを一層充実させる。広告をメニュの中に組み込んで、ユーザの支払いを少額にする又は不必要にしてもよい。広告を有するメニュは、その広告をユーザが省略することができないよう格納され得る。
【００１３】
リムーバブル媒体上にコンテンツを格納する段階は更に、リムーバブル媒体上にメニュを格納する段階を有し得る。メニュがシステムから取出しできない場合、この段階は、メニュを作成しそのメニュをリムーバブル媒体上に格納するよう実行され得る。
【００１４】
更なるコンテンツアイテムを取出しする段階は、コンテンツアイテムのマスタコピーの一部であって、コンテンツアイテム内にはない該一部を取出しする段階を有し得る。時々、ＴＶ番組の始まり又は終わり、例えば、映画のクレジットがない場合がある。更に、劣悪な信号によって干渉された部分がある場合がある。これは、一時的に格納されるコンテンツには問題ではないかもしれないが、永久的に格納されるコンテンツには望ましくない。欠けている又は干渉された部分は、コンテンツアイテムの品質を、マスタコピーと同じ品質にするべく取出しされ得る。更に、マスタコピーは、複数のデータレイヤを有し、全ての複数のレイヤの組み合わせが最高品質を表し得る。これらの複数のレイヤのうちの全てがコンテンツアイテム内にあるわけではない場合、欠けているレイヤを取出しして、コンテンツアイテムの品質を、マスタコピーと同じ品質にし得る。
【００１５】
本発明では、第２の目的は、ネットワークインタフェースを更に有し、制御ユニットは、コンテンツアイテムの識別を使用して、ネットワーク上のシステムからコンテンツアイテムに関連する更なるコンテンツアイテムを取出しするようネットワークインタフェースを使用可能であり、制御ユニットは、リムーバブル媒体上に更なるコンテンツアイテムを格納するようライタを使用可能であることによって実現される。
【００１６】
本発明の電子装置の１つの実施例は、更に、記憶手段を有する。
【発明を実施するための最良の形態】
【００１７】
本発明の方法及び電子装置の上述の及び他の面は、図面を参照しながら、更に明らかにし説明する。
【００１８】
図面における対応する素子は、同じ参照番号によって識別される。
【００１９】
図１において、リムーバブル媒体上にコンテンツを格納する方法は、記憶手段上に格納されたコンテンツアイテムを選択するためのユーザインタフェースを供給する段階１を有する。記憶手段は、例えば、ハードディスク、又は、ＤＶＤ＋ＲＷを有するＤＶＤライタであり得る。例えば、ユーザは、コンテンツアイテムを、そのタイトル、指数、又は記録の日付及び／又は時間に基づいて選択することが可能であり得る。この方法は更に、コンテンツアイテムの識別を用いて、ネットワーク上のシステムからコンテンツアイテムに関連する更なるコンテンツアイテムを取出しする段階３も有する。ユーザは、この方法の更なる段階において、又は、この方法の構成の間に、複数の更なるコンテンツアイテムのうちどのコンテンツアイテムが取出しされるか決定し得る。ネットワークは、例えば、インターネットであり得、システムは、例えば、ＨＴＴＰサーバであり得る。識別は、例えば、タイトル、コンテンツアイテムのフィンガープリント、コンテンツアイテム内に埋め込みされる識別子、又は、コンテンツアイテムの電子番組ガイドエントリ内に埋め込みされる識別子であり得る。識別子は更に、システムのアドレスを有し得る。識別は、ＸＭＬで符号化されて又は部分的に符号化されてシステムに送信される。この方法は更に、リムーバブル媒体上にコンテンツを格納する段階５を有する。段階５は、リムーバブル媒体上に更なるコンテンツアイテムを格納する段階を有する。リムーバブル媒体は、例えば、ＤＶＤ＋ＲＷ、ブルーレイディスク、又はホログラフィック媒体であり得る。
【００２０】
段階５は更に、リムーバブル媒体上にコンテンツアイテムを格納する段階を有し得る。更に、更なるコンテンツアイテムのために支払いをするためのユーザインタフェースを供給する段階９を有し得る。ユーザは、例えば、クレジットカードの詳細を提供することが可能であるか、又は、電話を使用した支払いに関して説明を示され得る。更に、システムに対して認証する段階１１を有し得る。例えば、電子装置は、ユーザが加入者であるか否かをシステムが判断可能とするようシステムに対して認証しなければならない場合もある。段階１１では、ユーザは、例えば、名前及びパスワードである認証パラメータを提供することが要求され得る。或いは、ユーザは、電子装置において認証パラメータを設定することが可能であり得る。
【００２１】
更なるコンテンツアイテムを取出しする段階３は、削除されたシーン、追加されたシーン、バイオグラフィー、ドキュメンタリー、画像、広告、メニュ、広告を有するメニュ、及び予告編のうちの少なくとも１つを取出しする段階を有し得る。段階５は更に、リムーバブル媒体上にメニュを格納する段階を有し得る
更なるコンテンツアイテムを取出しする段階３は、コンテンツアイテムのマスタコピーの一部であって、コンテンツアイテム内にはない一部を取出しする段階を有し得る。コンテンツアイテム内にないこの一部は、エラーを見つけるべくコンテンツアイテムを検索することによって検出され得る。段階３は、例えば、このエラーの検索を有し得る。エラー検出は、コンテンツアイテムを格納する間にも行われ得る。検出されたエラーに関する情報は、リムーバブル媒体か又は記憶手段上に格納され得る。例えば、フィンガープリントである、コンテンツアイテムの第１の部分及び／又は最後の部分の識別は、システム、又は、ネットワーク上の更なるシステムに伝送され得る。システム又は更なるシステムは、コンテンツアイテムの第１の部分に先行する、及び／又は、最後の部分に続くマスタコピーの一部を決定することが可能であり得る。
【００２２】
図２において、コンテンツを、リムーバブル媒体上に格納する電子装置２１は、ライタ２３と、制御ユニット２５と、ネットワークインタフェース２７を有する。ライタ２３は、リムーバブル媒体上にコンテンツを格納可能である。制御ユニット２５は、記憶手段３３上に格納されたコンテンツアイテムをユーザが選択することを可能にするよう入力装置及び出力装置を使用することが可能である。制御ユニット２５は更に、コンテンツアイテムの識別を用いて、ネットワーク上のシステムからコンテンツアイテムに関連する更なるコンテンツを取出しするようネットワークインタフェース２７を使用することが可能である。制御ユニット２５は更に、更なるコンテンツアイテムを、リムーバブル媒体上に格納するようライタ２３を使用可能である。更に、記憶手段３３を有し得る。電子装置２１は、例えば、ＤＶＤレコーダであり得る。ライタ２３は、例えば、ＤＶＤライタ又はブルーレイライタであり得る。制御ユニット２５は、例えば、マイクロプロセッサであり得る。記憶手段３３は、例えば、ハードディスクであり得る。或いは、記憶手段は、リムーバブル媒体を有するライタ２３であり得る。入力装置は、例えば、赤外線センサ３１に向けて伝送可能な遠隔制御器であり得る。出力装置は、例えば、コネクタ２９に接続されるＴＶか、又は電子装置２１のディスプレイであり得る。コネクタ２９は、例えば、アンテナソケット、Ｃｉｎｃｈソケット、又はＳＣＡＲＴコネクタであり得る。ネットワークインタフェース２７は、例えば、イーサネット（登録商標）コネクタ、例えば、ＵＴＰ又はＢＮＣであり得る。或いは、ネットワークインタフェース２７は、ワイヤレス送信器及びワイヤレス受信器を有し得る。
【００２３】
本発明は、好適な実施例に関連しながら説明したが、当業者には上述した原理内の修正は明らかであることを理解するものとする。従って、本発明は、好適な実施例に制限されるものではなく、そのような修正を包含することを意図する。本発明は、各新規の特徴、及び、各新規の特徴の組み合わせにある。請求項内の参照番号は、その保護範囲を制限するものではない。「有する」という動詞及びその活用形の使用は、請求項に記載される素子以外の存在を排除するものではない。単数形で示す素子は、その素子が複数存在することを排除するものではない。
【００２４】
「手段」は、当業者には明らかなように、任意のハードウェア（例えば、別個の又は集積回路、又は電子素子）、又はソフトウェア（例えば、プログラム又はプログラムの部分）を包含するものとして意味し、動作を行うか、又は、特定の機能を、その機能を独立してか又は他の素子と協働して行うよう設計される。本発明は、幾つかの別個の素子を有するハードウェア、及び、好適にプログラムされたコンピュータによって実施されることが可能である。幾つかの手段を列挙する装置請求項では、これらの手段のうちの幾つかは、１つのハードウェアアイテムによって具現化されることが可能である。「コンピュータプログラム」は、フロッピー（登録商標）ディスクといったコンピュータ可読媒体上に格納されるか、インターネットといったネットワークを介してダウンロード可能であるか、又は、任意の方法で販売可能な任意のソフトウェアプロダクトを意味すると理解すべきである。
【図面の簡単な説明】
【００２５】
【図１】本発明の方法のフローチャートである。
【図２】本発明の電子装置を示すブロック図である。
【図１】
2006512703.tif 000003
【図２】
2006512703.tif 000004
【国際調査報告】
2006512703.tif 000005
2006512703.tif 000006
2006512703.tif 000007